(57)【要約】      （修正有）【課題】容器使用後に蓋体を再利用することができ、容器や蓋体のサイズの変更が可能で、幼児や低学年の子等にとっても扱いが容易な菓子類用容器を提供する。【解決手段】蓋体２０に容器本体１０の開口上部を覆う基板２１を設ける。基板２１の上部に装着される透明な外殻体２４を設ける。基板２１を容器本体１０の開口縁に外嵌する嵌合縁２２を設ける。該嵌合縁２２の内側面に連結部２３を設ける。外殻体２４の内部にキャラクターを模した玩具Ｐと装飾体Ｑとを収納固定する。蓋体２０を容器本体１０の開口縁に沿ってスライドして蓋体２０を固定する。【選択図】図２
0003193291.tif 000002
【実用新案登録請求の範囲】
【請求項１】
菓子類を収納する容器本体と、この容器本体の開口上部を開閉する蓋体とからなる菓子類用容器において、容器本体は、周壁部と、底壁部と、周壁部の開口縁に沿って形成される連結部とを備え、蓋体は、容器本体の開口上部を覆う基板と、基板の上部に装着される透明な外殻体と、基板を容器本体の開口縁に外嵌する嵌合縁と、該嵌合縁の内側面に形成され、容器本体の連結部に着脱可能に連結される連結部とを備え、外殻体の内部にキャラクターを模した玩具と装飾体とを収納固定した蓋体を容器本体の開口縁に沿ってスライドすることで、容器本体に着脱自在に装着するように構成したことを特徴とする菓子類用容器。
【請求項２】
前記蓋体において、前記外殻体は半球ドーム形状又はブロックドーム形状に形成され、該外殻体の片側内側面に沿った外周部と外殻体の内部に形成された平面部とを有する前記装飾体を収納すると共に、該装飾体の平面部に前記玩具のキャラクターに関する印刷が施された請求項１記載の菓子類用容器。
【請求項３】
前記容器本体の前記連結部は、前記周壁部に沿って形成された嵌合凹部と該嵌合凹部の内部に突設された係止突起とで構成され、前記蓋体の前記連結部は、前記嵌合縁に沿って形成され前記容器本体の嵌合凹部にスライド自在に嵌入される嵌合突起と、該嵌合突起の一部を切り欠いて前記容器本体の係止突起に係止する係止凹部とで構成され、容器本体の嵌合凹部に蓋体の嵌合突起を嵌合してスライドすると、容器本体の係止突起に蓋体の係止凹部が係止するように構成した請求項１又は２記載の菓子類用容器。
【考案の詳細な説明】
【技術分野】
【０００１】
本考案は、例えば、ガム、チョコレート、キャンディー、ラムネ菓子、その他の適宜菓子類を収納しておける菓子類用容器に係り、外観上の体裁が良く、興趣に富み、子供等がより楽しめるように工夫した菓子類用容器に関するものである。
【背景技術】
【０００２】
当出願人は、使用済みの菓子類用容器を装飾物や子供等の玩具として再利用することができる菓子類用容器を先に提案している（特許文献１参照）。この容器は、容器本体を施蓋する蓋体を、適宜キャラクターの形態を模した立体形状にすることで、販売促進に役立つと共に、装飾物や玩具として再利用することができるものである。
【０００３】
一方、飲料缶の上部に装着する収納容器が特許文献２に記載されている。この収納容器は、内部に景品等を収納するもので、飲料缶の上部に装着する半円形の台座部と、台座部に嵌合装着されて内部に収納空間を有する透明なカバー部とを備えている。そして、収納空間に収納した景品や背景をアレンジしてショーケースとして利用できるというものである。
【先行技術文献】
【特許文献】
【０００４】
【特許文献１】実用新案登録第３１２８１７９号公報
【特許文献２】実用新案登録第３１２８１８５号公報
【考案の開示】
【考案が解決しようとする課題】
【０００５】
ところが、特許文献１の容器は、キャラクターを模した立体形状の蓋体は、容器に揺動自在に固定されているので、この蓋体のみを再利用することはできない構成であった。そのため、蓋体のキャラクターを収集しようとすると、容器ごと収集することになるといった不都合が生じる。
【０００６】
一方、特許文献２の容器は、飲料缶の上部に装着するので、容器のサイズが限定される不都合がある。しかも、台座部に透明なカバー部を着脱して収納した景品や背景をアレンジするように構成しているので、容器の扱いに注意を要し、幼児や低学年の子供等にとって扱いが困難になるものである。
【０００７】
そこで本考案は、上述の課題を解消すべく案出されたもので、容器使用後に蓋体のみを再利用することができ、しかも、容器や蓋体のサイズの変更が可能になり、幼児や低学年の子供等にとっても扱いが容易な菓子類用容器の提供を目的とする。
【課題を解決するための手段】
【０００８】
本考案の第１の手段は、菓子類を収納する容器本体１０と、この容器本体１０の開口上部を開閉する蓋体２０とからなる菓子類用容器において、容器本体１０は、周壁部１１と、底壁部１２と、周壁部１１の開口縁に沿って形成される連結部１３とを備え、蓋体２０は、容器本体１０の開口上部を覆う基板２１と、基板２１の上部に装着される透明な外殻体２４と、基板２１を容器本体１０の開口縁に外嵌する嵌合縁２２と、該嵌合縁２２の内側面に形成され、容器本体１０の連結部１３に着脱可能に連結される連結部２３とを備え、外殻体の内部にキャラクターを模した玩具Ｐと装飾体Ｑとを収納固定した蓋体２０を容器本体１０の開口縁に沿ってスライドすることで、容器本体１０に着脱自在に装着するように構成したことにある。
【０００９】
第２の手段は、前記蓋体２０において、前記外殻体２４は半球ドーム形状又はブロックドーム形状に形成され、該外殻体２４の片側内側面に沿った外周部Ｑ１と外殻体２４の内部に形成された平面部Ｑ２とを有する前記装飾体Ｑを収納すると共に、該装飾体Ｑの平面部に前記玩具Ｐのキャラクターに関する印刷が施されたものである。
【００１０】
第３の手段は、前記容器本体１０の前記連結部１３は、前記周壁部１１に沿って形成された嵌合凹部１３Ａと該嵌合凹部１３Ａの内部に突設された係止突起１３Ｂとで構成され、前記蓋体２０の前記連結部２３は、前記嵌合縁２２に沿って形成され前記容器本体１０の嵌合凹部１３Ａにスライド自在に嵌入される嵌合突起２３Ａと、該嵌合突起２３Ａの一部を切り欠いて前記容器本体１０の係止突起１３Ｂに係止する係止凹部２３Ｂとで構成され、容器本体１０の嵌合凹部１３Ａに蓋体２０の嵌合突起２３Ａを嵌合してスライドすると、容器本体１０の係止突起１３Ｂに蓋体２０の係止凹部２３Ｂが係止するように構成したことにある。
【考案の効果】
【００１１】
本考案の請求項１の如く、外殻体の内部にキャラクターを模した玩具Ｐと装飾体Ｑとを収納固定した蓋体２０を容器本体１０の開口縁に沿ってスライドすることで、容器本体１０に着脱自在に装着するように構成したことで、容器使用後に蓋体のみを再利用することができる。しかも、容器本体１０と蓋体２０とを分離できるので、容器本体１０や蓋体２０のサイズの変更が可能になる。更に、玩具Ｐや装飾体Ｑは蓋体２０の外殻体２４内部に固定されているので、幼児や低学年の子等にとっても扱いが容易である。
【００１２】
請求項２のように、外殻体２４は半球ドーム形状又はブロックドーム形状に形成され、該外殻体２４の片側内側面に沿った外周部Ｑ１と外殻体２４の内部に形成された平面部Ｑ２とを有する装飾体Ｑを収納すると共に、該装飾体Ｑの平面部に玩具Ｐのキャラクターに関する印刷が施されたことで、蓋体２０は、キャラクター玩具Ｐを中心とした一つの装飾体として構成されている。その結果、この蓋体２０全体を収集対象物とすることが可能になり、子供から大人に至るまでの収集マニアに好まれる装飾玩具として再利用することができる。
【００１３】
請求項３のごとく、容器本体１０の嵌合凹部１３Ａに蓋体２０の嵌合突起２３Ａを嵌合してスライドすると、容器本体１０の係止突起１３Ｂに蓋体２０の係止凹部２３Ｂが係止するように構成したことにより、容器本体１０の開口部に着脱する蓋体２０の連結操作が極めて容易でしかも確実に固定することができる。従って、幼児や低学年の子供等にとっても扱いが容易な菓子類用容器を提供することができる。
【００１４】
このように本考案によると、容器使用後に蓋体のみを再利用することができ、しかも、容器や蓋体のサイズの変更が可能になり、幼児や低学年の子供等にとっても扱いが容易な菓子類用容器を提供することが可能である。
【図面の簡単な説明】
【００１５】
【図１】本考案の一実施例を示す斜視図である。
【図２】本考案の一実施例を示す縦断面図である。
【図３】本考案の蓋体を外した状態を示す分解斜視図である。
【図４】本考案の蓋体の分解斜視図である。
【図５】本考案の蓋体の一実施例を示す斜視図である。
【図６】本考案の容器本体の連結部を示す斜視図である。
【図７】本考案の連結部の構造を示し、（イ）は固定前、（ロ）は固定状態を示す要部平断面図である。
【考案を実施するための形態】
【００１６】
本考案容器は、主に菓子類を収納する容器として使用するもので、容器本体１０と蓋体２０とで構成している（図１参照）。容器本体１０は、遊底筒状を成し、周壁部１１と、底壁部１２と、周壁部１１の開口縁に沿って形成される連結部１３を備えている（図２参照）。
【００１７】
蓋体２０は、容器本体１０の開口上部を開閉するもので、基板２１、嵌合縁２２、連結部２３を備えている（図３参照）。基板２１は容器本体１０の開口上部を覆う円板状部材で、この基板２１の上部に外殻体２４が固定されている。
【００１８】
この外殻体２４は、一部または全体が透明な合成樹脂材にて形成されるもので、基板２１に形成した固定溝２５に外殻体２４の下端部を嵌合して固定する（図４参照）。図示例では半球ドーム形状に形成され、嵌合縁２２の内側に沿って固定溝２５を形成している。また、この外殻体２４は、この他、平面多角形のブロックドーム形状に形成することも可能である（図示せず）。この場合、ブロックドーム形状の下端部の形状に合致した多角形状の固定溝２５を基板２１の上面に形成して外殻体２４を固定する。このように基板２１上に設ける外殻体２４の形状等は任意に変更することが可能である。
【００１９】
外殻体２４の内部には、装飾体Ｑと玩具Ｐとを収納固定している（図４参照）。装飾体Ｑは、外周部Ｑ１と平面部Ｑ２とで構成されている。すなわち、外周部Ｑ１は、外殻体２４の片側内側面に沿った形状を成している。図示の外周部Ｑ１は、半球状に形成され、外殻体２４の内部に平面部Ｑ２を形成したものである。外周部Ｑ１は、外殻体２４の形状に応じて任意に変更することができる。また、平面部Ｑ２には、玩具Ｐのキャラクターに関する印刷を施すことで、外殻体２４の内部に収納するキャラクター玩具Ｐの装飾効果を高めている（図５参照）。尚、この玩具Ｐや装飾体Ｑの種類や材質等は任意に変更することが可能である。
【００２０】
蓋体２０の基板２１には、嵌合縁２２と連結部２３を形成している（図３参照）。嵌合縁２２は、容器本体１０の開口縁に外嵌する部位で、基板２１の周囲縁に沿って形成されている。連結部２３は、容器本体１０の連結部１３に連結する部位で、嵌合縁２２の内側面に形成され、容器本体１０の連結部１３に着脱可能に連結するように構成している。
【００２１】
図示の連結部２３は、蓋体２０の嵌合縁２２に沿って形成している（図３参照）。この連結部２３は、容器本体１０の嵌合凹部１３Ａにスライド自在に嵌入される嵌合突起２３Ａと、該連結部２３の一部を切り欠いて容器本体１０の係止突起１３Ｂに係止する係止凹部２３Ｂとで構成するものである。
【００２２】
一方、容器本体１０の連結部１３を、容器本体１０の周壁部１１に沿って形成している。この連結部１３は、嵌合凹部１３Ａと該嵌合凹部１３Ａの内部に突設された係止突起１３Ｂとで構成する（図６参照）。
【００２３】
そして、容器本体１０の嵌合凹部１３Ａに蓋体２０の嵌合突起２３Ａを嵌合し（図７（イ）参照）、蓋体２０をスライドすると、容器本体１０の係止突起１３Ｂに蓋体２０の係止凹部２３Ｂが係止する（同図（ロ）参照）。これら嵌合凹部１３Ａと係止凹部２３Ｂとの係止状態によって、蓋体２０のスライド移動を固定するものである。
【００２４】
尚、本考案の容器本体１０や蓋体２０の形状やサイズ、あるいは容器本体１０の連結部１３や蓋体２０の連結部２３の構造等は、本考案の要旨を変更しない範囲において自由に選択することができる。
【符号の説明】
【００２５】
Ｐ  玩具
Ｑ  装飾体
Ｑ１  外周部
Ｑ２  平面部
１０  容器本体
１１  周壁部
１２  底壁部
１３  連結部
１３Ａ  嵌合凹部
１３Ｂ  係止突起
２０  蓋体
２１  基板
２２  嵌合縁
２３  連結部
２３Ａ  嵌合突起
２３Ｂ  係止凹部
２４  外殻体
２５  固定溝
【図１】
0003193291.tif 000003
【図２】
0003193291.tif 000004
【図３】
0003193291.tif 000005
【図４】
0003193291.tif 000006
【図５】
0003193291.tif 000007
【図６】
0003193291.tif 000008
【図７】
0003193291.tif 000009